(57)【要約】【課題】  回転駆動される磁性体から成るプーリーと、プーリーの一端に対峙して配設された磁性体から成るアーマチュアと、プーリーの他端に形成された円環溝内に且つ円環溝の壁面から隙間を隔てて配設された円環状のコイルケースと、コイルケース内に収容された円環状のコイルとを備え、塵埃の侵入が防止された電磁クラッチを提供する。【解決手段】  回転駆動される磁性体から成るプーリーと、プーリーの一端に対峙して配設された磁性体から成るアーマチュアと、プーリーの他端に形成された円環溝内に且つ円環溝の壁面から隙間を隔てて配設された円環状のコイルケースと、コイルケース内に収容された円環状のコイルとを備え、コイルケースの外周側面とプーリーの円環溝の外周側面との間の隙間を塞ぐシール部材が配設されている。【選択図】  図２
2007071244.tif 000002
【特許請求の範囲】
【請求項１】
回転駆動される磁性体から成るプーリーと、プーリーの一端に対峙して配設された磁性体から成るアーマチュアと、プーリーの他端に形成された円環溝内に且つ円環溝の壁面から隙間を隔てて配設された円環状のコイルケースと、コイルケース内に収容された円環状のコイルとを備え、コイルケースの外周側面とプーリーの円環溝の外周側面との間の隙間を塞ぐシール部材が配設されていることを特徴とする電磁クラッチ。
【請求項２】
回転駆動される磁性体から成るプーリーと、プーリーの一端に対峙して配設された磁性体から成るアーマチュアと、プーリーの他端に形成された円環溝内に且つ円環溝の壁面から隙間を隔てて配設された円環状のコイルケースと、コイルケース内に収容された円環状のコイルとを備え、コイルケースの外周側面とプーリーの円環溝の外周側面との間の隙間の開口端部を塞ぐシール部材が配設されていることを特徴とする電磁クラッチ。
【発明の詳細な説明】
【技術分野】
【０００１】
本発明は、電磁クラッチに関するものである。
【背景技術】
【０００２】
回転駆動される磁性体から成るプーリーと、プーリーの一端に対峙して配設された磁性体から成るアーマチュアと、プーリーの他端に形成された円環溝内に且つ円環溝の壁面から隙間を隔てて配設された円環状のコイルケースと、コイルケース内に収容された円環状のコイルとを備える電磁クラッチが、特許文献１等に開示されている。
【特許文献１】特開平７−４２７６５
【発明の開示】
【発明が解決しようとする課題】
【０００３】
従来の電磁クラッチには、プーリーの他端に形成された円環溝の壁面と、円環溝内に配設されたコイルケースとの間の隙間を通って電磁クラッチ内に塵埃が侵入し、電磁クラッチの機能、寿命を悪化させるという問題がある。
本発明は上記問題に鑑みてなされたものであり、回転駆動される磁性体から成るプーリーと、プーリーの一端に対峙して配設された磁性体から成るアーマチュアと、プーリーの他端に形成された円環溝内に且つ円環溝の壁面から隙間を隔てて配設された円環状のコイルケースと、コイルケース内に収容された円環状のコイルとを備える電磁クラッチであって、電磁クラッチ内への塵埃の侵入が防止された電磁クラッチを提供することを目的とする。
【課題を解決するための手段】
【０００４】
上記課題を解決するために、本発明においては、回転駆動される磁性体から成るプーリーと、プーリーの一端に対峙して配設された磁性体から成るアーマチュアと、プーリーの他端に形成された円環溝内に且つ円環溝の壁面から隙間を隔てて配設された円環状のコイルケースと、コイルケース内に収容された円環状のコイルとを備え、コイルケースの外周側面とプーリーの円環溝の外周側面との間の隙間を塞ぐシール部材が配設されていることを特徴とする電磁クラッチを提供する。
また本発明においては、回転駆動される磁性体から成るプーリーと、プーリーの一端に対峙して配設された磁性体から成るアーマチュアと、プーリーの他端に形成された円環溝内に且つ円環溝の壁面から隙間を隔てて配設された円環状のコイルケースと、コイルケース内に収容された円環状のコイルとを備え、コイルケースの外周側面とプーリーの円環溝の外周側面との間の隙間の開口端部を塞ぐシール部材が配設されていることを特徴とする電磁クラッチを提供する。
コイルケースの外周側面とプーリーの円環溝の外周側面との間の隙間の開口端部は外部環境に暴露されるのに対し、コイルケースの内周側面とプーリーの円環溝の内周側面との間の隙間の開口端部は、コイルケースを被回転機器のハウジングに固定するための円環板に対峙するので、外部環境に暴露されず、電磁クラッチの内部空間に暴露される。したがって、コイルケースの外周側面とプーリーの円環溝の外周側面との間の隙間、或いはコイルケースの外周側面とプーリーの円環溝の外周側面との間の隙間の開口端部を、シール部材を用いて塞ぐことにより、電磁クラッチ内への塵埃の侵入を防止することができる。
【発明の効果】
【０００５】
本発明により、回転駆動される磁性体から成るプーリーと、プーリーの一端に対峙して配設された磁性体から成るアーマチュアと、プーリーの他端に形成された円環溝内に且つ円環溝の壁面から隙間を隔てて配設された円環状のコイルケースと、コイルケース内に収容された円環状のコイルとを備える電磁クラッチであって、電磁クラッチ内への塵埃の侵入が防止された電磁クラッチが提供される。
【発明を実施するための最良の形態】
【０００６】
車両用開放型圧縮機に使用された本発明の実施例に係る電磁クラッチを説明する。
【実施例１】
【０００７】
図１に示すように、車両空調装置用揺動式圧縮機１は、主軸２と、主軸２に固定されたローター３と、主軸２に対して傾斜して配設され相対回転可能にローター３に係合する揺動板４と、揺動板４の回転を阻止するギア噛合式の回転阻止機構と、揺動板４に係合するピストン５と、ピストン５が往復摺動可能に挿入されたシリンダボア６ａを有すると共に主軸２とローター３と揺動板４とを収容するクランク室７を形成するシリンダブロック６と、シリンダブロック６の一端に固定されたフロントハウジング８と、吸入穴と吐出穴とが形成された弁板９を介してシリンダブロック６の他端に固定され吸入室１０ａと吐出室１０ｂとを形成するシリンダヘッド１０と、弁板９に装着された図示しない吸入弁と吐出弁とを備えている。フロントハウジング８とシリンダブロック６とシリンダヘッド１０とは、主軸２、ローター３、揺動板４、ピストン５等により構成される圧縮機構を収容するハウジングを、協働して形成している。
主軸２はフロントハウジング８のボス部８ａを貫通してハウジング外へ延びている。ボス部８ａの主軸貫通部に、軸封装置１１が配設されている。
【０００８】
ボス部８ａに電磁クラッチ１２が取り付けられている。電磁クラッチ１２は、図示しないベルトを介して図示しない車両エンジンにより回転駆動されると共にボス部８ａに固定されたベアリング１３により回転可能に支持された環状のプーリー１２ａと、プーリー１２ａの一端１２ｂに対峙して配設された磁性体から成るアーマチュア１２ｃと、アーマチュア１２ｃと主軸２の端部とを連結する連結部材１２ｄとを備えている。プーリー１２ａの他端に形成された円環溝１２ｅ内に且つ円環溝１２ｅの壁面から隙間Ｓを隔てて円環状のコイルケース１２ｆが配設され、コイルケース１２ｆ内に円環状のコイル１２ｇが配設されている。コイルケース１２ｆは、円環板１２ｈを用いて、ボス部８ａの基部に固定されている。前記一端１２ｂの円環溝１２ｅの底壁を形成する部位に、磁気回路形成用のスリット１２ｉが形成されている。浅い有底筒状のダストカバー１４が、アーマチュア１２ｃに対峙して配設され、プーリー１２ａの一端１２ｂに当接固定されている。
【０００９】
図２に示すように、コイルケース１２ｆの外周側面とプーリーの円環溝１２ｅの外周側面との間の隙間Ｓを塞ぐ円環状のシール部材１５が配設されている。シール部材１５は、コイルケース１２ｆの外周側面に形成された周溝に嵌合固定されている。
【００１０】
車両空調装置用揺動式圧縮機１においては、図示しない車両エンジンから電磁クラッチ１２を介して主軸２へ回転動力が伝達され、主軸２が回転する。主軸２の回転に伴ってローター３が回転し、揺動板４が揺動し、ピストン５が往復動する。空調装置の蒸発器から吸入室１０ａへ戻った冷媒ガスが、弁板９の吸入穴と吸入弁と介してシリンダボア６ａへ吸入され、シリンダボア６ａ内で圧縮され、弁板９の吐出穴と吐出弁とを介して吐出室１０ｂへ吐出され、吐出室１０ｂから空調装置の凝縮器へ送出される。
【００１１】
電磁クラッチ１２においては、コイルケース１２ｆの外周側面とプーリーの円環溝１２ｅの外周側面との間の隙間Ｓの開口端部は外部環境に暴露されるのに対し、コイルケース１２ｆの内周側面とプーリーの円環溝１２ｅの内周側面との間の隙間Ｓの開口端部は、コイルケース１２ｆを車両空調装置用揺動式圧縮機１のフロントハウジング８に固定するための円環板１２ｈに対峙するので、外部環境に暴露されず、電磁クラッチ１２の内部空間に暴露される。したがって、コイルケース１２ｆの外周側面とプーリーの円環溝１２ｅの外周側面との間の隙間Ｓを、シール部材１５を用いて塞ぐことにより、図２に太線矢印で示すように、電磁クラッチ１２内への塵埃の侵入を防止することができる。
【実施例２】
【００１２】
コイルケース１２ｆの外周側面とプーリーの円環溝１２ｅの外周側面との間の隙間Ｓを、シール部材１５を用いて塞ぐのに代えて、図３に示すように、コイルケース１２ｆの外周側面とプーリーの円環溝１２ｅの外周側面との間の隙間Ｓの開口端部を、円環状のシール部材１６を用いて塞いでも良い。図３に太線矢印で示すように、電磁クラッチ１２内への塵埃の侵入を防止することができる。
シール部材１６は、コイルケース１２ｆに固定しても良く、或いはプーリー１２ａの他端に固定しても良い。
【産業上の利用可能性】
【００１３】
本発明は、電磁クラッチに広く利用可能である。
【図面の簡単な説明】
【００１４】
【図１】本発明の実施例に係る電磁クラッチと、当該電磁クラッチが使用された揺動板式圧縮機の断面図である。
【図２】本発明の実施例に係る電磁クラッチの断面図である。
【図３】本発明の実施例に係る電磁クラッチの断面図である。
【符号の説明】
【００１５】
１  揺動板式圧縮機
２  主軸
４  揺動板
５  ピストン
１１  軸封装置
１２  電磁クラッチ
１２ａ  プーリー
１２ｅ  環状溝
１２ｆ  コイルケース
１５、１６  シール部材
Ｓ  隙間
【図１】
2007071244.tif 000003
【図２】
2007071244.tif 000004
【図３】
2007071244.tif 000005